(57)【要約】【課題】利用者からの原稿読み取り指示により原稿読み取りを開始して原稿読み取りが完了までに要する時間を従来よりも更に短縮可能とした画像読取装置を提供する。【解決手段】画像読取装置の自動原稿搬送部１００の画像処理部３０９のＡＣＳ機能部は、原稿裏面読取部１７で読み取った画像データの読取元が白黒原稿かカラー原稿かを判定する。リーダ部２００のＣＰＵ３２１は、画像メモリ３２９の画像データをコントローラ部４００に送信開始する際、原稿裏面読取部１７で読み取った画像データの読取元が白黒原稿の場合は、コントローラＩ／Ｆ部３５３により白黒画像データを送信する。原稿裏面読取部１７で読み取った画像データの読取元がカラー原稿の場合は、コントローラＩ／Ｆ部３５３によりカラー画像データを送信する。【選択図】図２
2008294824.tif 000002
【特許請求の範囲】
【請求項１】
原稿を搬送する搬送手段と、搬送される原稿の表面を読み取る第１の読取手段と、搬送される原稿の裏面を読み取る第２の読取手段とを備えた画像読取装置において、
前記第２の読取手段で読み取った画像データを格納する格納手段と、
前記第１の読取手段で読み取った画像データ、前記格納手段に格納された画像データのいずれかを選択的に送信先へ送信する送信手段と、
前記第２の読取手段で読み取った画像データの読取元が白黒原稿かカラー原稿かを判定する判定手段と、
前記送信手段により前記格納手段の画像データを送信開始する際、前記第２の読取手段で読み取った画像データの読取元が白黒原稿と前記判定手段で判定された場合は、白黒画像データを送信し、前記第２の読取手段で読み取った画像データの読取元がカラー原稿と前記判定手段で判定された場合は、カラー画像データを送信する制御手段と、
を備えることを特徴とする画像読取装置。
【請求項２】
前記制御手段は、前記送信手段により前記格納手段の画像データを送信開始する際、前記第２の読取手段で読み取った画像データの読取元が白黒原稿と前記判定手段で判定され、前記送信手段による白黒画像データの送信開始から送信終了までの間に、前記第２の読取手段で読み取った画像データの読取元がカラー原稿と前記判定手段で判定された場合は、送信する画像データを白黒画像データからカラー画像データに切り換えることを特徴とする請求項１記載の画像読取装置。
【請求項３】
前記第１の読取手段は、原稿搬送路に面する原稿読取位置を含む範囲を移動可能で原稿を照明すると共に原稿からの反射光を導光する光学手段と、前記光学手段により導光される反射光を光電変換する光電変換手段とから構成され、
前記第２の読取手段は、前記原稿搬送路に沿った位置に配置され、
前記第１の読取手段を構成する前記原稿読取位置にある時の前記光学手段と、前記第２の読取手段との間の距離が離間した構成を有することを特徴とする請求項１又は２記載の画像読取装置。
【請求項４】
前記第１の読取手段は、原稿搬送路に面する原稿読取位置を含む範囲を移動可能で原稿を照明すると共に原稿からの反射光を導光する光学手段と、前記光学手段により導光される反射光を光電変換する光電変換手段とから構成され、
前記第２の読取手段は、前記原稿搬送路に沿った位置に配置され、
前記第１の読取手段を構成する前記原稿読取位置にある時の前記光学手段と、前記第２の読取手段との間の距離が近い構成を有することを特徴とする請求項１又は２記載の画像読取装置。
【請求項５】
原稿を搬送する搬送手段と、搬送される原稿の表面を読み取る第１の読取手段と、搬送される原稿の裏面を読み取る第２の読取手段とを備えた画像読取装置の制御方法において、
前記第１の読取手段で読み取った画像データ、格納手段に格納された前記第２の読取手段で読み取った画像データのいずれかを選択的に送信先へ送信する送信ステップと、
前記第２の読取手段で読み取った画像データの読取元が白黒原稿かカラー原稿かを判定する判定ステップと、
前記送信ステップにより前記格納手段の画像データを送信開始する際、前記第２の読取手段で読み取った画像データの読取元が白黒原稿と前記判定ステップで判定された場合は、白黒画像データを送信し、前記第２の読取手段で読み取った画像データの読取元がカラー原稿と前記判定ステップで判定された場合は、カラー画像データを送信する制御ステップと、を有することを特徴とする制御方法。
【請求項６】
原稿を搬送する搬送手段と、搬送される原稿の表面を読み取る第１の読取手段と、搬送される原稿の裏面を読み取る第２の読取手段とを備えた画像読取装置の制御方法をコンピュータに実行させるプログラムにおいて、前記制御方法は、
前記第１の読取手段で読み取った画像データ、格納手段に格納された前記第２の読取手段で読み取った画像データのいずれかを選択的に送信先へ送信する送信ステップと、
前記第２の読取手段で読み取った画像データの読取元が白黒原稿かカラー原稿かを判定する判定ステップと、
前記送信ステップにより前記格納手段の画像データを送信開始する際、前記第２の読取手段で読み取った画像データの読取元が白黒原稿と前記判定ステップで判定された場合は、白黒画像データを送信し、前記第２の読取手段で読み取った画像データの読取元がカラー原稿と前記判定ステップで判定された場合は、カラー画像データを送信する制御ステップと、を有することを特徴とするプログラム。
【発明の詳細な説明】
【技術分野】
【０００１】
本発明は、読取時間の短縮を図る場合に好適な画像読取装置、制御方法、及びプログラムに関する。
【背景技術】
【０００２】
従来、原稿の画像を読み取る画像読取部と画像通信を行うファクシミリ部を備えた複写機に関する次の技術が提案されている。複写機の画像読取部により読み取った画像の種別（カラー画像／白黒画像）を利用者が操作部から入力（指定）することで、ファクシミリ部により読取画像データを外部装置へ転送する転送時間の短縮を図る技術がある（例えば、特許文献１参照）。
【０００３】
特許文献１記載の技術では、カラー画像／白黒画像を指定しない時にＲＧＢ３色のカラー画像データを転送していた時間を、利用者が白黒画像を指定することで濃度情報のみ（白黒画像データ）を転送する時間に短縮することができる。しかし、特許文献１記載の技術では、利用者がカラー画像／白黒画像の指定をしないと効果が得られず、操作性の面で煩わしいという問題がある。
【０００４】
そこで、上記問題を解消すべく、オートカラーセレクト（ＡＣＳ）機能を設けることで、利用者が色情報を指定しなくても自動で色判別を行う技術が提案されている（例えば、特許文献２参照）。
【０００５】
図１３は、従来例に係るＡＣＳ機能を有する複写機のコントローラユニットの構成を示すブロック図である。
【０００６】
図１３において、複写機は、ＣＰＵ５０１・スキャナ画像処理部５１１・プリンタ画像処理部５１２を有するコントローラユニット５２０、スキャナ部５３０、プリンタ部５４０、操作部５５０を備える。スキャナ部５３０から原稿読取に伴う画像データがコントローラユニット５２０に転送されてくると、スキャナ画像処理部５１１でカラー画像か白黒画像かを判別する。
【０００７】
ＣＰＵ５０１は読取画像が白黒画像であると検出した場合、ＬＡＮ５６０或いはＷＡＮ５７０を介して白黒画像データとして外部装置へ伝送する。これにより、利用者に色情報を意識させずに画像データ転送の時間の短縮を図ることができる。尚、複写機の上記以外の構成要素は図示の通りであり、説明は省略する。
【０００８】
他方、原稿搬送路上に２つの画像読取部を設置し、各画像読取部で原稿のそれぞれの面の画像を読み取る両面同時読み方式の画像読取装置が提案されている。両面同時読み方式の画像読取装置では、原稿の１回の搬送動作で原稿の両面の画像を読み取ることで原稿両面の画像を得るものである。
【特許文献１】特開２００１−２１８０６９号公報
【特許文献２】特開２００４−７２１６６号公報
【発明の開示】
【発明が解決しようとする課題】
【０００９】
しかしながら、上記従来例の複写機においては、ＬＡＮ５６０やＷＡＮ５７０を介した外部装置への画像データ転送の時間の短縮を図ることはできるが、次の問題がある。ＡＣＳ処理をコントローラユニット５２０で行っているため、スキャナ部５３０からコントローラユニット５２０に対する画像データ転送時間、即ちスキャナ部５３０の動作時間を短縮することができないという問題がある。
【００１０】
また、上記両面同時読み方式の画像読取装置においては、原稿読み取りを開始してから原稿読み取りを完了するまでに要する時間は上記従来例の複写機の場合よりも短縮できる。しかし、画像読取装置に対する利用効率等の面から、原稿読み取り開始から原稿読み取り完了までの時間を更に短縮したいという要望がなされている。
【００１１】
本発明の目的は、利用者からの原稿読み取り指示により原稿読み取りを開始して原稿読み取りが完了までに要する時間を従来よりも更に短縮することを可能とした画像読取装置、制御方法、及びプログラムを提供することにある。
【課題を解決するための手段】
【００１２】
上述の目的を達成するために、本発明の画像読取装置は、原稿を搬送する搬送手段と、搬送される原稿の表面を読み取る第１の読取手段と、搬送される原稿の裏面を読み取る第２の読取手段とを備えた画像読取装置において、前記第２の読取手段で読み取った画像データを格納する格納手段と、前記第１の読取手段で読み取った画像データ、前記格納手段に格納された画像データのいずれかを選択的に送信先へ送信する送信手段と、前記第２の読取手段で読み取った画像データの読取元が白黒原稿かカラー原稿かを判定する判定手段と、前記送信手段により前記格納手段の画像データを送信開始する際、前記第２の読取手段で読み取った画像データの読取元が白黒原稿と前記判定手段で判定された場合は、白黒画像データを送信し、前記第２の読取手段で読み取った画像データの読取元がカラー原稿と前記判定手段で判定された場合は、カラー画像データを送信する制御手段と、を備えることを特徴とする。
【発明の効果】
【００１３】
本発明によれば、格納手段に格納されている原稿裏面の画像データの送信開始前に、画像データの読取元が白黒原稿かカラー原稿かを判定し、白黒原稿の場合は白黒画像データを送信する。従って、原稿裏面の画像データ送信時間を短縮することができる。これにより、利用者からの原稿読み取り指示により原稿読み取りを開始して原稿読み取りが完了までに要する時間を従来よりも更に短縮することが可能となる。
【発明を実施するための最良の形態】
【００１４】
以下、本発明の実施の形態を図面に基づいて説明する。
【００１５】
［第１の実施の形態］
図１は、本発明の第１の実施の形態に係る画像読取装置の自動原稿搬送部とリーダ部の構成を示す構成図である。
【００１６】
図１において、画像読取装置は、自動原稿搬送部（ＡＤＦ：Auto Document Feeder）１００、リーダ部２００、コントローラ部（図２参照）（送信先）から構成されている。自動原稿搬送部１００は、給紙ローラ１、分離ローラ２、搬送ローラ対３、レジストレーションローラ４、給送ローラ５、搬送ローラ６、大ローラ７、排紙ローラ８（以上搬送手段）、原稿裏面読取部１７（第２の読取手段）を備える。リーダ部２００は、流し読みガラス２０１、プラテンガラス２０２、ＣＣＤセンサ２０８（原稿表面読取部、第１の読取手段、光電変換手段）、スキャナユニット２０９（原稿表面読取部、第１の読取手段、光学手段）を備える。
【００１７】
自動原稿搬送部１００において、原稿トレイ３０には、複数枚の原稿Ｓを積載状態（原稿束）で載置可能である。分離パッド２１は、原稿トレイ３０から原稿搬送方向へ突出状態に配置され、原稿の搬送開始前に原稿の進出を規制する。給紙ローラ１は、モータにより原稿トレイ３０上の原稿束の最上面の原稿に下降され回転駆動されることで、原稿束の最上面の原稿を給紙する。給紙ローラ１により給紙された最上面の原稿は、分離ローラ２と分離パッド２１の作用により下側の原稿と分離される。原稿の分離は公知のリタード分離技術により実現される。
【００１８】
分離ローラ２と分離パッド２１により分離された原稿は、搬送ローラ対３により搬送され、レジストレーション（以下レジスト）ローラ４に突き当てられる。これにより、原稿をループ状に形成することで、原稿の搬送における斜行を解消する。レジストローラ４の下流側には、レジストローラ４を通過した原稿を流し読みガラス２０１方向へ搬送する給紙パス（搬送路）が配置されている。ループ状に形成された原稿は、給紙パスに送り込まれる。
【００１９】
給紙パスに送り込まれた原稿は、大ローラ７及び給送ローラ５によりプラテンガラス２０１上に給送される。ここで、大ローラ７は、流し読みガラス２０１に接触する。このとき、ＣＣＤセンサ２０８により原稿の表面画像を読み取ることが可能である。大ローラ７により給送された原稿は、搬送ローラ６を通過し、ローラ１６と移動ガラス１８の間を移動して、排紙フラッパ２０及び排紙ローラ８を介して原稿排紙トレイ３１へ排出される。排紙フラッパ２０の上流側には原稿裏面読取部１７が配置されている。原稿の排出時に、原稿裏面読取部１７により原稿裏面の画像を読み取る。
【００２０】
一方、原稿を反転させて画像読み取りを行う場合は（原稿反転流し読みモード）、排紙ローラ８に原稿を噛ませた状態で、排紙ローラ８を逆回転させ排紙フラッパ２０を切り替えることで、反転パス１９に原稿を移動させる。反転パス１９に移動させた原稿をレジストローラ４に突き当て、原稿を再度ループ状に形成することで、原稿の搬送における斜行を解消する。
【００２１】
その後、給送ローラ５及び大ローラ７により原稿を再び流し読みガラス２０１へ移動させることで、原稿裏面の画像を流し読みガラス２０１を介してスキャナユニット２０９及びＣＣＤセンサ２０８により読み取ることも可能である。即ち、スキャナユニット２０９及びＣＣＤセンサ２０８は、両面同時読みモードでは原稿表面の画像を読み取る原稿表面読取部を構成しているが、原稿反転流し読みモードでは原稿裏面の画像を読み取ることも可能である。
【００２２】
また、原稿トレイ３０には、載置された原稿束の副走査方向にスライド可能なガイド規制板（不図示）が配置されると共に、ガイド規制板の動きに連動して原稿幅を検出する原稿幅検知センサ（不図示）が配置されている。原稿幅検知センサとレジストローラ４の上流側に配置されたレジスト前センサ１１との組み合わせにより、原稿トレイ３０上に載置された原稿束の原稿サイズが判別可能となる。
【００２３】
また、搬送路上に設けられた原稿長検知センサ（不図示）により、搬送路を搬送中の原稿の先端から後端を検知し、原稿の先端から後端までの搬送距離から原稿長を検出することも可能である。更に、原稿長検知センサにより検知した原稿長と原稿幅検知センサにより検知した原稿幅との組み合わせからも、原稿サイズを判別可能である。
【００２４】
リーダ部２００において、スキャナユニット２０９は、ランプ２０３とミラー２０４を備えると共に副走査方向（図３ｃの矢印Ａ方向）に移動可能であり、ランプ２０３により照明した原稿からの反射光をミラー２０４により反射させる。更に、ミラー２０４からの反射光をミラー２０５、２０６により反射させて導光し、レンズ２０７を介してＣＣＤセンサ２０８に結像させる。シェーディング補正用白板（以下白板）２１０は、シェーディング補正による白レベルの基準データを作成するための部材である。
【００２５】
ＣＣＤセンサ２０８は、原稿の画像を流し読みガラス２０１またはプラテンガラス２０２を介して原稿の反射光として光学的に読み取り、反射光を光電変換することで画像データを出力する。原稿表面読取部は、スキャナユニット２０９（光学手段）とＣＣＤセンサ２０８（光電変換手段）とから構成される。即ち、原稿搬送路に面する原稿読取位置を含む範囲を移動可能で原稿を照明すると共に原稿からの反射光を導光するスキャナユニット２０９と、導光される反射光を画像信号に光電変換するＣＣＤセンサ２０８とから構成される。
【００２６】
図２は、画像読取装置の自動原稿搬送部とリーダ部とコントローラ部の制御構成を示すブロック図である。
【００２７】
図２において、自動原稿搬送部１００は、ＣＰＵ３００、受光センサ（ＣＩＳ：Contact Image Sensor）３０８（原稿裏面読取部、第２の読取手段）、画像処理部３０９（判定手段）を備えている。リーダ部２００は、ＣＰＵ３２１、画像メモリ３２９（格納手段）、画像セレクタ（送信手段）、画像処理部３２５、ＣＣＤセンサ２０８（原稿表面読取部、第１の読取手段）、コントローラＩ／Ｆ部３４３（送信手段）を備えている。コントローラ部４００は、制御回路４０１、増幅回路４０２、補正回路４０３、画像メモリ４０４を備えている。
【００２８】
まず、自動原稿搬送部１００の構成を説明する。ＣＰＵ３００は、バスを介して接続されたＲＯＭ３０１に格納された制御プログラムに基づいて原稿の搬送を制御する。また、ＣＰＵ３００は、リーダ部２００のＣＰＵ３２１と通信ライン３５１を介してシリアル通信を行い、リーダ部２００との間で制御データの授受を行う。また、ＣＰＵ３００は、原稿表面から読み取った画像データの先端基準となる画先信号も通信ライン３５１を介してリーダ部２００のＣＰＵ３２１に通知する。
【００２９】
ＲＯＭ３０１には、ＣＰＵ３００により実行される制御プログラムが格納されている。ＲＡＭ３０２には、入力データや作業用データが記憶される。出力ポートには、上記図１に示した原稿搬送用の各種ローラを駆動するモータ３０３、ソレノイド３０６、クラッチ３０７が接続されている。入力ポートには、上記図１に示した各種のセンサ３０４が接続されている。
【００３０】
また、原稿裏面読取部１７（図１参照）には、ランプ３０５と受光センサ（ＣＩＳ）３０８が接続されている。原稿裏面読取部１７により原稿裏面から読み取った画像データは、画像処理部３０９へ転送される。画像処理部３０９は、画像データに対し所定の画像処理を行うものであり、オートカラーセレクト（ＡＣＳ）機能を内蔵している。ＡＣＳ機能は、原稿から読み取った画像がカラー画像であるか白黒画像であるかを判定する機能である。ＡＣＳ機能については図６に基づき後述する。
【００３１】
次に、リーダ部２００の構成を説明する。ＣＰＵ３２１は、リーダ部各部の制御を司ると共に、画像処理部３０９のＡＣＳ機能と画像セレクタ３３０を用いて後述する画像データ転送制御を行う。ＲＯＭ３２２には、ＣＰＵ３２１により実行される制御プログラムが格納されている。ＲＡＭ３２３は、ＣＰＵ３２１のワーク領域となる。モータドライバ３２６は、スキャナユニット２０９を移動させる光学系駆動モータを駆動する。紙間補正処理部３２４は、当該原稿の読み取りと次の原稿の読み取りの間の期間において紙間補正（画像補正処理）を行う。
【００３２】
画像処理部３２５は、ＣＣＤセンサ２０８に結像された原稿の反射光像が光電変換されたデジタル画像データに対し各種の画像処理を行う。画像メモリ３２９には、自動原稿搬送部１００内の画像処理部３０９で処理した画像データが画像通信ライン３５４を介して記憶される。画像セレクタ３３０は、画像処理部３２５を経由してくる原稿表面の画像データと、画像メモリ３２９に格納された原稿裏面の画像データのいずれかを選択し（選択的に）、コントローラＩ／Ｆ部３５３を介してコントローラ部４００（送信先）に送信する。
【００３３】
更に、ＣＰＵ３２１は、原稿画像データの先端基準となる画先信号についてはそのタイミングを取り、コントローラＩ／Ｆ部３５３を介してコントローラ部４００に通知する。また、ＣＰＵ３２１は、自動原稿搬送部１００からの通信ライン３５１を介して通知される画先信号についても同様にそのタイミングを取り、コントローラＩ／Ｆ部３５３を介してコントローラ部４００に通知する。
【００３４】
次に、コントローラ部４００の構成を説明する。コントローラ部４００には、リーダ部２００のＣＣＤセンサ２０８（原稿表面読取部）と、自動原稿搬送部１００の受光センサ３０８（原稿裏面読取部）での読取に伴い、コントローラＩ／Ｆ部３５３経由で画像信号が送られてくる。即ち、ＣＣＤセンサ２０８、受光センサ３０８により原稿を走査する過程で、読み取り１ライン毎にアナログの画像信号が出力され、それぞれ画像処理部３２５、画像処理部３０９とコントローラＩ／Ｆ部３５３を経由しコントローラ部４００に送られてくる。
【００３５】
制御回路４０１は、コントローラ部４００各部の制御を司る。増幅回路４０２は、ＣＣＤセンサ２０８、受光センサ３０８から送られてきた画像信号を増幅した後、補正回路４０３に送出する。補正回路４０３は、増幅後の画像信号に対して補正処理を行い、画像メモリ４０４に書き込む。以上の処理を原稿の画像領域分について行うことで、原稿の読み取り画像を形成する。
【００３６】
本実施の形態は以下の特徴を有する。コントローラＩ／Ｆ部３５３により画像メモリ３２９の画像データをコントローラ部４００へ送信開始する際、次の制御を行う。原稿裏面読取部１７で読み取った画像データの読取元が白黒原稿とＡＣＳ機能で判定した場合は、白黒画像データを送信する。原稿裏面読取部１７で読み取った画像データの読取元がカラー原稿とＡＣＳ機能で判定した場合は、カラー画像データを送信する。
【００３７】
コントローラＩ／Ｆ部３５３により画像メモリ３２９の画像データをコントローラ部４００へ送信開始する際、第１の条件と第２の条件が成立した場合に次の制御を行う。送信する画像データを白黒画像データからカラー画像データに切り換える。第１の条件は、原稿裏面読取部１７で読み取った画像データの読取元が白黒原稿とＡＣＳ機能で判定した場合である。第２の条件は、コントローラＩ／Ｆ部３５３による白黒画像データの送信開始から送信終了までの間に、原稿裏面読取部１７で読み取った画像データの読取元がカラー原稿とＡＣＳ機能で判定した場合である。
【００３８】
次に、上記構成を有する本実施の形態の画像読取装置の各種動作について図３乃至図９を参照しながら詳細に説明する。
【００３９】
＜原稿固定読みモード＞
まず、画像読取装置により片面に画像を有する原稿（片面原稿）を読み取る際、原稿をプラテンガラス上に固定しスキャナユニット２０９を副走査方向に移動させて原稿画像を読み取る原稿読取モード（原稿固定読みモード）の動作を説明する。
【００４０】
図３ａは、原稿固定読みモードにおけるシェーディング補正時のスキャナユニットの状態を示す図である。図３ｂは、ホームポジションのスキャナユニットの状態を示す図である。図３ｃは、原稿読み取り中のスキャナユニットの状態を示す図である。
【００４１】
図３において、利用者が画像読取装置の操作部から原稿画像の読取開始を指示すると、リーダ部２００では光学系駆動モータによりスキャナユニット２０９を白板２１０の直下に移動させ、主走査方向の白レベル基準と主走査方向の配光補正を行う（図３ａ）。更に、リーダ部２００では光学系駆動モータによりスキャナユニット２０９を加速させるのに十分な距離が確保されたホームポジション（スキャナユニットスタート位置）へ移動させる（図３ｂ）。
【００４２】
その後、リーダ部２００では光学系駆動モータによりスキャナユニット２０９を副走査方向（矢印Ａ方向）に移動させ、原稿Ｓをランプ２０３で照射しながら、反射光をミラー２０４〜２０６とレンズ２０７を介しＣＣＤセンサ２０８に結像させる。これにより、ＣＣＤセンサ２０８により原稿画像を読み取る（図３ｃ）。リーダ部２００では原稿Ｓの一方の端部から他方の端部までの読み取りが終了した後、ランプ２０３を消灯し、光学系駆動モータによりスキャナユニット２０９を移動させて図３ａの位置に戻す。
【００４３】
＜原稿流し読みモード＞
次に、画像読取装置により原稿（片面に画像を有する片面原稿及び両面に画像を有する両面原稿）を読み取る際、スキャナユニット２０９を固定し原稿を搬送して画像を読み取る原稿読取モード（原稿流し読みモード）の動作を説明する。
【００４４】
図４ａは、原稿流し読みモードにおけるシェーディング補正時のスキャナユニットの状態を示す図である。図４ｂは、１枚目原稿分離開始時のスキャナユニットの状態を示す図である。図４ｃは、原稿表面読取開始時のスキャナユニットの状態を示す図である。図４ｄは、原稿裏面読取開始時のスキャナユニットの状態を示す図である。図４ｅは、原稿表面読取完了時のスキャナユニットの状態を示す図である。図４ｆは、原稿裏面読取完了時のスキャナユニットの状態を示す図である。図４ｇは、原稿排紙完了時のスキャナユニットの状態を示す図である。
【００４５】
図４において、利用者が画像読取装置の操作部から原稿の搬送開始を指示すると、リーダ部２００では光学系駆動モータによりスキャナユニット２０９を白板２１０の直下に移動させ、シェーディング補正を行う。ここで、原稿裏面読取部１７の移動ガラス上の白基準板（不図示）を用いて、同時にシェーディング補正を行う（図４ａ）。
【００４６】
自動原稿搬送部１００では給紙ローラ１を原稿束の最上面に下降させ、分離ローラ２、給紙ローラ３の作用により、原稿束から最上面にある１枚の原稿だけを分離し、レジストローラ４まで給送する。このとき、リーダ部２００は光学系駆動モータによりスキャナユニット２０９を図示のＲ点の直下へ移動させる（図４ｂ）。Ｒ点は大ローラ７の鉛直方向中心線上に位置する点である。
【００４７】
自動原稿搬送部１００でレジストローラ４を回転させると、原稿Ｓは給紙パスを経由して流し読みガラス２０１上へ導かれる（図４ｃ）。原稿Ｓは流し読みガラス２０１上のＲ点を所定の速度で搬送される。これに伴い、リーダ部２００ではＲ点の下部に待機しているスキャナユニット２０９により原稿の表面画像の読み取りを開始する（図４ｃ）。この場合、原稿の先端がＲ点を通過するタイミングで原稿読取開始の信号が自動原稿搬送部１００のセンサ３０４からリーダ部２００のＣＰＵ３２１に通知される。
【００４８】
原稿の表裏両面を同時に読み取る両面同時読みモードの場合は、次の動作を行う。リーダ部２００でスキャナユニット２０９及びＣＣＤセンサ２０８（原稿表面読取部）により原稿表面の画像読み取りを行っている最中に、自動原稿搬送部１００では原稿裏面読取部１７により原稿裏面の画像読み取りを行う（図４ｄ、図４ｅ）。
【００４９】
自動原稿搬送部１００では原稿裏面読取部１７により原稿裏面の画像後端まで読み取りが終了すると（図４ｆ）、読み取り終了後の原稿をそのまま図の右方向へ搬送し、排紙ローラ８により自動原稿搬送部１００外部へ排出する。
【００５０】
また、リーダ部２００ではＮ枚目の原稿が流し読みガラス２０１上のＲ点を通過し読み取られている間に、Ｎ枚目の原稿の後端が給紙ローラ３を通過すると、給紙ローラ１により原稿トレイ３０上の原稿束から（Ｎ＋１）枚目の原稿の給送を開始する。リーダ部２００では（Ｎ＋１）枚目の原稿をプラテンガラス２０１上へ搬送し、画像の読み取り動作を行う。この場合、リーダ部２００では原稿をレジストローラ４に突き当てた状態でレジストローラ４の起動タイミングを制御することで、Ｒ点上で読み取り中の前原稿との間隔を適宜調整し、プラテンガラス２０１上を所定の間隔で原稿を搬送する。
【００５１】
リーダ部２００では原稿の読み取りと排紙が全て完了すると、光学系駆動モータによりスキャナユニット２０９を図示の矢印Ｂ方向に移動させる（図４ｇ）。
【００５２】
＜原稿反転流し読みモード＞
次に、画像読取装置により、原稿の表裏を反転させて画像を読み取る原稿反転流し読みモードの動作を説明する。
【００５３】
図５ａは、原稿反転流し読みモードにおける原稿排紙直前の排紙ローラ停止時のスキャナユニットの状態を示す図である。図５ｂは、反転パスでの原稿反転時のスキャナユニットの状態を示す図である。図５ｃは、原稿裏面読み取り中のスキャナユニットの状態を示す図である。図５ｄは、原稿排紙の際の再度原稿停止時のスキャナユニットの状態を示す図である。図５ｅは、原稿表裏再反転時のスキャナユニットの状態を示す図である。Zu5fは、原稿反転後の原稿排紙完了時のスキャナユニットの状態を示す図である。
【００５４】
図５において、自動原稿搬送部１００では上記図４ａ〜図４ｇの一連の動作を行った後、原稿を排紙ローラ８に噛ませた状態で停止させる（図５ａ）。ただし、ＣＣＤセンサ２０８（原稿表面読取部）によりＮ枚目の原稿の読み取りを行っている最中は、（Ｎ＋１）枚目の原稿の給送を行わず、かつ、原稿裏面読取部１７を使用しないものとする。
【００５５】
自動原稿搬送部１００では排紙ローラ８を排紙時の回転方向とは逆方向に回転させることで、原稿を図示の矢印Ｃ方向へ移動させる（図５ｂ）。このとき、原稿後端をセンサ１３により検知したら、排紙ローラ８を停止させる。次に、原稿裏面読取部１７により原稿裏面をＲ点上にて読み取りながら搬送する（図５ｃ）。
【００５６】
その後、自動原稿搬送部１００では排紙ローラ８に原稿を再度噛ませた状態で停止させる（図５ｄ）。更に、排紙ローラ８を逆転させて図示の矢印Ｄ方向に原稿を移動させ、原稿の表裏を反転させる（図５ｅ）。原稿の表裏の反転後、自動原稿搬送部１００では分離ローラ２と分離パッド２１により原稿トレイ３０上の次の原稿Ｓの分離を開始する（図５ｆ）。
【００５７】
＜オートカラーセレクト（ＡＣＳ）機能＞
次に、ＡＣＳ機能について図６に基づき説明する。
【００５８】
図６は、画像読取装置の自動原稿搬送部１００の画像処理部３０９に内蔵されたＡＣＳ機能部の構成を示すブロック図である。
【００５９】
図６において、画像処理部３０９のＡＣＳ機能部は、フィルタ６０１、レジスタ６０２〜レジスタ６０５、領域信号作成回路６０６、ヒストグラムカウント部６０７、色判定部６０８、カウンタ６０９を備える。ＡＣＳ機能は、原稿から読み取った画像がカラー画像であるか白黒画像であるかを判定する機能である。つまり、画素ごとの彩度を求めて所定の閾値以上の画素がどれだけ存在するかに基づきカラー画像／白黒画像判定を行うものである。
【００６０】
しかし、白黒画像の原稿であっても、ＭＴＦ（Modulation Transfer Function）等の影響により、ミクロ的に見るとエッジ周辺に色画素が多数存在し、単純に画素単位でＡＣＳ機能による色判定を行うのは難しい。ＡＣＳ機能による色判定方法としては様々な種類が提案されている。本実施の形態ではＡＣＳ機能による色判定方法の種類にはこだわらないため、ごく一般的な方法について説明する。
【００６１】
上記のように、白黒画像の原稿でもミクロ的に見ると色画素が多数存在するわけであるから、その画素が本当に色画素であるかどうかは、注目画素に対して周辺の色画素の情報を基に判定する必要がある。フィルタ６０１は、そのために設けられたフィルタであり、注目画素に対して周辺画素を参照するためにＦＩＦＯ（First In First Out）の構造を有する。
【００６２】
領域信号作成回路６０６は、ＣＰＵ３００（図２）によりレジスタ６０２〜レジスタ６０５に設定された値と、受光センサ３０８から送られたビデオ制御信号６１１に基づき、ＡＣＳをかける領域信号６１２を作成する。色判定部６０８は、ＡＣＳをかける領域信号６１２に基づき、注目画素に対してフィルタ６０１内のメモリに記憶された周辺画素を参照し、注目画素が色画素か白黒画素かを決定する。カウンタ６０９は、色判定部６０８から出力された色判定信号６１３の個数を計数する。ヒストグラムカウント部６０７は、ＲＧＢ濃度値の出現度数を計数する。
【００６３】
ＣＰＵ３００は、受光センサ３０８の読み取り範囲に対してＡＣＳをかける領域を決定し、レジスタ６０２〜レジスタ６０５に設定する。また、ＣＰＵ３００は、ＡＣＳをかける領域内での色判定信号の個数を計数するカウンタ６０９の値を所定の閾値と比較し、当該原稿から読み取った画像がカラー画像であるか白黒画像であるかを判断する。
【００６４】
＜画像転送モード＞
次に、リーダ部２００のＣＣＤセンサ２０８（原稿表面読取部）と、自動原稿搬送部１００の受光センサ３０８（原稿裏面読取部）での読取に伴いコントローラＩ／Ｆ部３５３経由でコントローラ部４００に送られてくる画像信号について図７に基づき説明する。
【００６５】
図７は、画像読取装置のコントローラＩ／Ｆ部の画像信号に関わるタイミング図であり、（ａ）は、カラー画像信号転送時の信号マッピング動作を示すタイミング図、（ｂ）は、白黒画像信号転送時の信号マッピング動作を示すタイミング図である。
【００６６】
図７（ａ）において、カラー画像信号転送時は、入力された画像信号Ｒ、Ｇ、Ｂは、それぞれＶ＜７：０＞、Ｖ＜１５：８＞、Ｖ＜２３：１６＞信号ラインに割当てられて出力される。尚、ＤＣＬＫは画像処理クロック信号である。
【００６７】
図７（ｂ）において、白黒画像信号転送時は、原稿から読み取ったＲＧＢ信号のうち輝度信号としてＧ成分のみを転送する。輝度信号Ｙ（Ｇ）がＶ＜２３：１６＞、Ｖ＜１５：８＞、Ｖ＜７：０＞信号ラインに点順次で分配されて出力される。即ち、白黒画像信号の転送速度はカラー画像信号の転送速度の３倍になる。
【００６８】
＜ＡＣＳ機能を用いた画像転送モードの切り換え＞
次に、原稿から読み取った画像がカラー画像であるか白黒画像であるかを判定するＡＣＳ機能を用いて、コントローラ部４００に対する画像転送モードを切り換える制御について図８に基づき説明する。
【００６９】
図８は、原稿表面読取部及び原稿裏面読取部による原稿画像読み取りと画像転送モードの関係を示すタイミング図である。
【００７０】
図８において、読取元の原稿の１枚目は表面及び裏面が共にカラー原稿、原稿の２枚目は表面及び裏面が共に白黒原稿、原稿の３枚目は表面及び裏面が共に白黒画像領域（前側）とカラー画像領域（後側）が混在した原稿であると想定する。画像転送モードには、カラー画像転送モードと白黒画像転送モードがある。原稿表面から読み取った画像データは常にカラー画像転送モードで転送する。
【００７１】
１枚目の原稿表面の画像データを転送終了した時点での１枚目の原稿裏面の画像データはＡＣＳ機能によりカラー画像と判定されるので、原稿裏面の画像データもカラー画像転送モードで転送する。２枚目の原稿表面の画像データを転送終了した時点での２枚目の原稿裏面の画像データはＡＣＳ機能により白黒画像と判定されるので、２枚目の原稿裏面の画像データは白黒画像転送モードで転送する。
【００７２】
３枚目の原稿表面の画像データを転送終了した時点では３枚目の原稿裏面の画像データはＡＣＳ機能により白黒画像と判定されるため、３枚目の原稿裏面の画像データは白黒画像転送モードで転送を開始する。３枚目の原稿裏面の残り領域の画像からＡＣＳ機能によりカラー画像と判定された場合は、カラー画像と判断された位置からの画像転送モードをカラー画像転送モードに切り換える。
【００７３】
次に、画像読取装置の両面同時読みモードの処理について図９ａ、図９ｂに基づき説明する。両面同時読みモードでは、スキャナユニット２０９及びＣＣＤセンサ２０８（原稿表面読取部）により原稿表面の画像読み取りを行っている最中に、原稿裏面読取部１７により原稿裏面の画像読み取りを行う。
【００７４】
図９ａ、図９ｂは、両面同時読みモードにおける読取ジョブ開始から読取ジョブ終了までの流れを示すフローチャートである。
【００７５】
図９ａ、図９ｂにおいて、利用者が画像読取装置の操作部から両面同時読みモードを指示すると、リーダ部２００では両面同時読みモードによる読取ジョブを開始する（ステップＳ１００）。まず、自動原稿搬送部１００では原稿トレイ３０上にある原稿を表面読取位置まで搬送を開始する（ステップＳ１０１）。原稿の先端が表面読取位置に到達したことをセンサで検知すると（ステップＳ１０２）、スキャナユニット２０９による原稿表面の読み取りを開始すると共に、読み取った原稿表面の画像データの転送を開始する（ステップＳ１０３）。
【００７６】
この場合、リーダ部２００では画像セレクタ３３０が画像処理部３２５から入力される画像データをコントローラＩ／Ｆ部３５３に転送するように設定しておく。また、コントローラＩ／Ｆ部３５３はカラー画像転送モードに設定しておく。
【００７７】
リーダ部２００で原稿表面の画像データの転送を開始したら、自動原稿搬送部１００では原稿を等速度で搬送しながら、原稿の先端が原稿裏面読取部１７に到達するのを待つ（ステップＳ１０４）。原稿の先端が原稿裏面読取部１７に到達すると、自動原稿搬送部１００では原稿裏面読取部１７による原稿裏面の読み取りを開始すると共に、リーダ部２００の画像メモリ３２９に対する原稿裏面の画像データの格納を開始する（ステップＳ１０５）。
【００７８】
原稿の後端がスキャナユニット２０９（原稿表面読取部）を通過した時点、即ち原稿表面の画像データの転送が終了した時点で、原稿裏面の画像データを転送するために次の設定を行う。リーダ部２００では画像セレクタ３３０を、画像メモリ３２９から画像セレクタ３３０に入力される画像データをコントローラＩ／Ｆ部３５３に転送するように設定する。
【００７９】
このとき、画像処理部３０９は画像メモリ３２９にそれまでに格納された原稿裏面の画像データを基に、ＡＣＳ機能により原稿の読取画像がカラー画像であるか白黒画像であるかを判定する（ステップＳ１０７）。画像処理部３０９はＡＣＳ機能により原稿の読取画像がカラー画像であると判定した場合はステップＳ１０８に移行し、原稿の読取画像が白黒画像であると判定した場合はステップＳ１０９に移行する。
【００８０】
ＡＣＳ機能により原稿の読取画像がカラー画像であると判定した場合は、リーダ部２００では原稿裏面の画像データの転送終了までカラー画像転送モードで画像メモリ３２９からコントローラ部４００に画像データ転送を開始する（ステップＳ１０８）。画像データ転送が終了した時点で、自動原稿搬送部１００では次に読み取る原稿が原稿トレイ３０上に残っているかどうかを判断する（ステップＳ１１３）。
【００８１】
次に読み取る原稿が原稿トレイ３０上に残っている場合は、自動原稿搬送部１００で原稿トレイ３０上から原稿を搬送し、リーダ部２００で原稿表面の読み取りを開始する（ステップＳ１０１）。次に読み取る原稿が原稿トレイ３０上に残っていない場合は、リーダ部２００で全ての原稿を読み取ったとして、原稿の読取り動作を終了する（ステップＳ１１４）。
【００８２】
ＡＣＳ機能により原稿の読取画像が白黒画像であると判定した場合は、リーダ部２００では白黒画像転送モードで画像メモリ３２９からコントローラ部４００に画像データ転送を開始する（ステップＳ１０９）。
【００８３】
ここで、本実施の形態では、原稿表面読取部を構成する原稿読取位置にある時のスキャナユニット２０９と、原稿裏面読取部１７との間の距離が離間した構成を有する。そのため、コントローラ部４００に対する原稿表面の画像データ転送終了時点では、原稿裏面の画像は未だ読み取り中である。
【００８４】
上記の点から、ＡＣＳ機能による判定結果は原稿裏面の全領域に対しての判定結果ではないため、原稿裏面の残りの領域にカラー画像が含まれている可能性がある。そこで、リーダ部２００で画像メモリ３２９からコントローラ部４００に対し白黒画像データの転送を開始した後は、原稿裏面から読み取る画像にカラー画像が含まれているかどうかを常時判定する（ステップＳ１１０）。
【００８５】
ＡＣＳ機能により白黒判定された残りの画像にカラー画像が含まれていない場合は（ステップＳ１１０でＮＯ）、自動原稿搬送部１００では次に読み取る原稿が原稿トレイ３０上に残っているかどうかを判断する（ステップＳ１１３）。ステップＳ１１３の判断結果に基づく処理は上記と同様である。
【００８６】
ＡＣＳ機能により白黒判定された残りの画像にカラー画像が含まれている場合は（ステップＳ１１０でＹＥＳ）、自動原稿搬送部１００では原稿の副走査方向における白黒画像とカラー画像の境界に相当するライン位置を記憶しておく。リーダ部２００では記憶した副走査方向におけるライン位置以降の画像データを転送するモードをカラー画像転送モードに切り換える（ステップＳ１１２）。
【００８７】
尚、本実施の形態では、上述したように、原稿表面読取部を構成する原稿読取位置にある時のスキャナユニット２０９と、原稿裏面読取部１７との間の距離が離間した構成となっている。そのため、原稿表面の画像データ転送終了後、それまでに格納した原稿裏面の画像データについてＡＣＳ機能による色判定を行い、原稿裏面の画像データ転送を開始する。
【００８８】
以上説明したように、本実施の形態によれば、原稿表面から読み取った画像データと原稿裏面から読み取った画像データをリーダ部２００からコントローラ部４００に交互に転送する際に次の制御を行う。原稿表面の画像データの転送が完了してから、原稿裏面の画像データの転送を開始するという時間差を利用して原稿裏面の画像データに対し、自動原稿搬送部１００の画像処理部３０９のＡＣＳ機能による色判定を行う。
【００８９】
即ち、原稿裏面の画像データの転送前に、リーダ部２００の画像メモリ３２９に蓄積されている画像データを基にＡＣＳ機能による色判定を行い、白黒画像と判定した場合は白黒画像転送モードで画像データ転送を行う。従って、両面同時読みモードにおいて原稿裏面の画像データ転送時間を短縮することができる。これにより、両面同時読みモードにおいて利用者からの原稿読み取り指示により原稿読み取りを開始して原稿読み取りが完了までに要する時間を従来よりも更に短縮することが可能となる。
【００９０】
［第２の実施の形態］
本発明の第２の実施の形態は、上記第１の実施の形態に対して、原稿表面読取部と原稿裏面読取部との間が近い構成を有する点において相違する。本実施の形態のその他の要素は、上記第１の実施の形態の対応するものと同一なので、説明を省略する。
【００９１】
図１０は、本実施の形態に係る画像読取装置の自動原稿搬送部とリーダ部の構成を示す構成図である。
【００９２】
図１０において、本実施の形態では、原稿表面読取部を構成する原稿読取位置にある時のスキャナユニット２０９と、原稿裏面読取部１７との間の距離が近い構成を有する。尚、本実施の形態における基本的な原稿搬送動作は、原稿裏面読取部１７による第２の読取位置がスキャナユニット２０９による第１の読取位置と同一位置にある以外は、上記第１の実施の形態と同じである。
【００９３】
本実施の形態では、原稿表面読取部を構成するスキャナユニット２０９と原稿裏面読取部１７が原稿搬送路を挟んで鉛直方向で同じ位置にある。そのため、原稿裏面の画像の読み取り完了後、原稿裏面の全領域に対しＡＣＳ機能によるカラー画像判定を行ってから原稿裏面の画像データ転送を開始する。
【００９４】
図１１は、原稿表面読取部及び原稿裏面読取部による原稿画像読み取りと画像転送モードの関係を示すタイミング図である。
【００９５】
図１１において、読取元の原稿の１枚目は表面及び裏面が共にカラー原稿、原稿の２枚目は表面及び裏面が共に白黒原稿、原稿の３枚目は表面及び裏面が共に白黒画像領域（前側）とカラー画像領域（後側）が混在した原稿であると想定する。画像転送モードには、カラー画像転送モードと白黒画像転送モードがある。原稿表面から読み取った画像データは常にカラー画像転送モードで転送する。
【００９６】
１枚目の原稿表面の画像データを転送終了した時点での１枚目の原稿裏面の画像データはＡＣＳ機能によりカラー画像と判定されるので、原稿裏面の画像データもカラー画像転送モードで転送する。２枚目の原稿表面の画像データを転送終了した時点での２枚目の原稿裏面の画像データはＡＣＳ機能により白黒画像と判定されるので、２枚目の原稿裏面の画像データは白黒画像転送モードで転送する。
【００９７】
３枚目の原稿表面の画像データを転送終了した時点では３枚目の原稿裏面の画像データはＡＣＳ機能によりカラー画像と判定されるため、３枚目の原稿裏面の画像データはカラー画像転送モードで転送する。この方法では、３枚目の原稿の画像データ転送時間が上記第１の実施の形態よりも長くなるが、途中で白黒画像からカラー画像への切り換えが発生しないため、画質が良好な画像データを転送することが可能となる。
【００９８】
図１２は、両面同時読みモードにおける読取ジョブ開始から読取ジョブ終了までの流れを示すフローチャートである。
【００９９】
図１２において、利用者が画像読取装置の操作部から両面同時読みモードを指示すると、リーダ部２００では両面同時読みモードによる読取ジョブを開始する（ステップＳ２００）。まず、自動原稿搬送部１００では原稿トレイ３０上にある原稿を表面読取位置まで搬送を開始する（ステップＳ２０１）。原稿の先端が表面読取位置に到達したことをセンサで検知すると（ステップＳ２０２）、スキャナユニット２０９による原稿表面の読み取りを開始すると共に、読み取った原稿表面の画像データの転送を開始する（ステップＳ２０３）。
【０１００】
この場合、リーダ部２００では画像セレクタ３３０が画像処理部３２５から入力される画像データをコントローラＩ／Ｆ部３５３に転送するように設定しておく。また、コントローラＩ／Ｆ部３５３はカラー画像転送モードに設定しておく。
【０１０１】
リーダ部２００で原稿表面の画像データの転送を開始したら、自動原稿搬送部１００では原稿を等速度で搬送しながら、原稿の先端が原稿裏面読取部１７に到達するのを待つ（ステップＳ２０４）。原稿の先端が原稿裏面読取部１７に到達すると、自動原稿搬送部１００では原稿裏面読取部１７による原稿裏面の読み取りを開始すると共に、リーダ部２００の画像メモリ３２９に対する原稿裏面の画像データの格納を開始する（ステップＳ２０５）。
【０１０２】
原稿の後端がスキャナユニット２０９（原稿表面読取部）を通過した時点、即ち原稿表面の画像データの転送が終了した時点で、原稿裏面の画像データを転送するために次の設定を行う。リーダ部２００では画像セレクタ３３０を、画像メモリ３２９から画像セレクタ３３０に入力される画像データをコントローラＩ／Ｆ部３５３に転送するように設定する。
【０１０３】
このとき、画像メモリ３２９には原稿裏面の画像データの格納が完了しており、画像処理部３０９はＡＣＳ機能により原稿の読取画像がカラー画像であるか白黒画像であるかを判定する（ステップＳ２０７）。画像処理部３０９はＡＣＳ機能により原稿の読取画像がカラー画像であると判定した場合はステップＳ２０８に移行し、原稿の読取画像が白黒画像であると判定した場合はステップＳ２０９に移行する。
【０１０４】
ＡＣＳ機能により原稿の読取画像がカラー画像であると判定した場合は、リーダ部２００では原稿裏面の画像データの転送終了までカラー画像転送モードで画像メモリ３２９からコントローラ部４００に画像データ転送を開始する（ステップＳ２０８）。画像データ転送が終了した時点で、自動原稿搬送部１００では次に読み取る原稿が原稿トレイ３０上に残っているかどうかを判断する（ステップＳ２１３）。
【０１０５】
次に読み取る原稿が原稿トレイ３０上に残っている場合は、自動原稿搬送部１００で原稿トレイ３０上から原稿を搬送し、リーダ部２００で原稿表面の読み取りを開始する（ステップＳ２０１）。次に読み取る原稿が原稿トレイ３０上に残っていない場合は、リーダ部２００で全ての原稿を読み取ったとして、原稿の読取り動作を終了する（ステップＳ２１１）。
【０１０６】
以上説明したように、本実施の形態によれば、上記第１の実施の形態と同様に、両面同時読みモードにおいて利用者からの原稿読み取り指示により原稿読み取りを開始して原稿読み取りが完了までに要する時間を従来よりも更に短縮することが可能となる。
【０１０７】
［他の実施の形態］
上記各実施の形態では、自動原稿搬送部１００の原稿裏面読取部としてＣＩＳ、リーダ部２００の原稿表面読取部としてＣＣＤセンサを使用した場合を例に挙げたが、これらに限定されるものではない。原稿画像の読み取りが可能なセンサであれば、原稿表面読取部及び原稿裏面読取部に使用するセンサの種類は任意である。
【０１０８】
また、本発明の目的は、以下の処理を実行することにより達成される。即ち、上述した実施形態の機能を実現するソフトウェアのプログラムコードを記録した記憶媒体を、システム或いは装置に供給し、そのシステム或いは装置のコンピュータ(又はＣＰＵやＭＰＵ等)が記憶媒体に格納されたプログラムコードを読み出す処理である。
【０１０９】
この場合、記憶媒体から読み出されたプログラムコード自体が前述した実施の形態の機能を実現することになり、そのプログラムコード及び該プログラムコードを記憶した記憶媒体は本発明を構成することになる。
【０１１０】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【０１１１】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理により前述した実施形態の機能が実現される場合も含まれる。
【０１１２】
更に、前述した実施形態の機能が以下の処理により実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【０１１３】
【図１】本発明の第１の実施の形態に係る画像読取装置の自動原稿搬送部とリーダ部の構成を示す構成図である。
【図２】画像読取装置の自動原稿搬送部とリーダ部とコントローラ部の制御構成を示すブロック図である。
【図３ａ】画像読取装置の原稿固定読みモードにおけるシェーディング補正時のスキャナユニットの状態を示す構成図である。
【図３ｂ】画像読取装置の原稿固定読みモードにおけるホームポジションのスキャナユニットの状態を示す構成図である。
【図３ｃ】画像読取装置の原稿固定読みモードにおける原稿読み取り中のスキャナユニットの状態を示す構成図である。
【図４ａ】画像読取装置の原稿流し読みモードにおけるシェーディング補正時のスキャナユニットの状態を示す構成図である。
【図４ｂ】画像読取装置の原稿流し読みモードにおける１枚目原稿分離開始時のスキャナユニットの状態を示す構成図である。
【図４ｃ】画像読取装置の原稿流し読みモードにおける原稿表面読取開始時のスキャナユニットの状態を示す構成図である。
【図４ｄ】画像読取装置の原稿流し読みモードにおける原稿裏面読取開始時のスキャナユニットの状態を示す構成図である。
【図４ｅ】画像読取装置の原稿流し読みモードにおける原稿表面読取完了時のスキャナユニットの状態を示す構成図である。
【図４ｆ】画像読取装置の原稿流し読みモードにおける原稿裏面読取完了時のスキャナユニットの状態を示す構成図である。
【図４ｇ】画像読取装置の原稿流し読みモードにおける原稿排紙完了時のスキャナユニットの状態を示す構成図である。
【図５ａ】画像読取装置の原稿反転流し読みモードにおける原稿排紙直前の排紙ローラ停止時のスキャナユニットの状態を示す構成図である。
【図５ｂ】画像読取装置の原稿反転流し読みモードにおける反転パスでの原稿反転時のスキャナユニットの状態を示す構成図である。
【図５ｃ】画像読取装置の原稿反転流し読みモードにおける原稿裏面読み取り中のスキャナユニットの状態を示す構成図である。
【図５ｄ】画像読取装置の原稿反転流し読みモードにおける原稿排紙の際の再度原稿停止時のスキャナユニットの状態を示す構成図である。
【図５ｅ】画像読取装置の原稿反転流し読みモードにおける原稿表裏再反転時のスキャナユニットの状態を示す構成図である。
【図５ｆ】画像読取装置の原稿反転流し読みモードにおける原稿反転後の原稿排紙完了時のスキャナユニットの状態を示す構成図である。
【図６】画像読取装置の自動原稿搬送部の画像処理部に内蔵されたＡＣＳカウント部の構成を示すブロック図である。
【図７】画像読取装置のコントローラＩ／Ｆ部の画像信号に関わるタイミング図であり、（ａ）は、カラー画像信号転送時の信号マッピング動作を示すタイミング図、（ｂ）は、白黒画像信号転送時の信号マッピング動作を示すタイミング図である。
【図８】原稿表面読取部及び原稿裏面読取部による原稿画像読み取りと画像転送モードの関係を示すタイミング図である。
【図９ａ】両面同時読みモードにおける読取ジョブ開始から読取ジョブ終了までの流れを示すフローチャートである。
【図９ｂ】両面同時読みモードにおける読取ジョブ開始から読取ジョブ終了までの流れを示すフローチャートである。
【図１０】本発明の第２の実施の形態に係る画像読取装置の自動原稿搬送部とリーダ部の構成を示す構成図である。
【図１１】原稿表面読取部及び原稿裏面読取部による原稿画像読み取りと画像転送モードの関係を示すタイミング図である。
【図１２】両面同時読みモードにおける読取ジョブ開始から読取ジョブ終了までの流れを示すフローチャートである。
【図１３】従来例に係るＡＣＳ機能を有する複写機のコントローラユニットの構成を示すブロック図である。
【符号の説明】
【０１１４】
１  給紙ローラ
２  分離ローラ
３  搬送ローラ対
４  レジストローラ
５  給送ローラ
６  搬送ローラ
７  大ローラ
８  排紙ローラ
１７  原稿裏面読取部
１００  自動原稿搬送部
２００  リーダ部
２０８  ＣＣＤセンサ
２０９  スキャナユニット
３０８  受光センサ
３０９  画像処理部
３２１  ＣＰＵ
３２９  画像メモリ
３３０  画像セレクタ
３５３  コントローラＩ／Ｆ部
４００  コントローラ部
【図１】
2008294824.tif 000003
【図２】
2008294824.tif 000004
【図３ａ】
2008294824.tif 000005
【図３ｂ】
2008294824.tif 000006
【図３ｃ】
2008294824.tif 000007
【図４ａ】
2008294824.tif 000008
【図４ｂ】
2008294824.tif 000009
【図４ｃ】
2008294824.tif 000010
【図４ｄ】
2008294824.tif 000011
【図４ｅ】
2008294824.tif 000012
【図４ｆ】
2008294824.tif 000013
【図４ｇ】
2008294824.tif 000014
【図５ａ】
2008294824.tif 000015
【図５ｂ】
2008294824.tif 000016
【図５ｃ】
2008294824.tif 000017
【図５ｄ】
2008294824.tif 000018
【図５ｅ】
2008294824.tif 000019
【図５ｆ】
2008294824.tif 000020
【図６】
2008294824.tif 000021
【図７】
2008294824.tif 000022
【図８】
2008294824.tif 000023
【図９ａ】
2008294824.tif 000024
【図９ｂ】
2008294824.tif 000025
【図１０】
2008294824.tif 000026
【図１１】
2008294824.tif 000027
【図１２】
2008294824.tif 000028
【図１３】
2008294824.tif 000029